Podtech/llm-jp-corpus-v4-ja_patent huggingface dataset:
(57)【要約】      （修正有）【課題】これまでに無かった美味なアイスクリームを提供する。【解決手段】アイスクリームに、カシュナッツとくるみを混入したことを特徴とするカシュナッツとくるみ入りアイスクリーム、及び、ソフトクリームに、カシュナッツとくるみを混入したことを特徴とするカシュナッツとくるみ入りソフトクリームである。アイスクリームに美味なカシュナッツとくるみの味が加わり、これまでに無かった美味なアイスクリームが得られる。【選択図】図１
0003150063.tif 000002
【実用新案登録請求の範囲】
【請求項１】
アイスクリームに、カシュナッツとくるみを混入したことを特徴とするカシュナッツとくるみ入りアイスクリーム。
【請求項２】
ソフトクリームに、カシュナッツとくるみを混入したことを特徴とするカシュナッツとくるみ入りソフトクリーム。
【請求項３】
前記カシュナッツとくるみは、５ｍｍ〜１ｃｍの大きさに砕いたものであることを特徴とする請求項１又は２のクリーム。
【考案の詳細な説明】
【技術分野】
【０００１】
本考案は、アイスクリーム又はソフトクリームに、カシュナッツとくるみを混入したことを特徴とするカシュナッツとくるみ入りアイスクリーム及びソフトクリームに関する。
【背景技術】
【０００２】
従来よりアイスクリームに、フルーツ味やチョコレート味を付与したもの等がある。
例えば、特許文献１には、しその実をあく抜きし、塩づけしたものをそのまま、あるいは乾燥させたものを混入したアイスクリームが提案されている。
【先行技術文献】
【特許文献】
【０００３】
【特許文献１】実開平６−７２３８６号公報
【考案の概要】
【考案が解決しようとする課題】
【０００４】
しかし、上記のしその実のアイスクリームは、若者むきではないという問題点があった。
そこで、本考案は、これまでに全く無かった美味なアイスクリームを提供することを目的とする。
【課題を解決するための手段】
【０００５】
本考案のアイスクリームは、アイスクリームに、カシュナッツとくるみを混入したことを特徴とする。
本考案のソフトクリームは、ソフトクリームに、カシュナッツとくるみを混入したことを特徴とする。
なお、前記カシュナッツとくるみは、５ｍｍ〜１ｃｍの大きさに砕いたものであることが好ましい。
【考案の効果】
【０００６】
本考案によれば、アイスクリームに美味なカシュナッツとくるみの味が加わり、これまでに全く無かった美味なアイスクリームが得られる。
【図面の簡単な説明】
【０００７】
【図１】本考案のカシュナッツとくるみ入りアイスクリームを示す図である。
【図２】本考案のカシュナッツとくるみ入りソフトクリームを示す図である。
【考案を実施するための形態】
【０００８】
つぎに、本考案の実施の形態を説明する。
本発明に用いられるアイスクリームは、牛乳または乳製品を主原料とするものであれば、とくに制限なく使用でき、食品衛生法に成分規格を定めるアイスクリーム、アイスミルク、ラクトアイスのいずれでもよい。
【０００９】
また、牛乳や乳製品に糖、安定剤（ゼラチン、ペクチン、アルギン酸塩など）、乳化剤、香料、その他を適当に加えて混合加温、溶解したものも適用できる。
このアイスクリームを作る段階、あるいは作った後にカシュナッツとくるみを混入する。
【００１０】
アイスクリームにくるみとカシュナッツを混入する場合、適度な大きさに砕き、食べやすくするのが好ましい。しかし、そのままの大きさで入れたり、あるいはカシュナッツとくるみの両方を同時に混ぜて粉（末）状にして混入しても差し支えない。
【００１１】
カシュナッツは単独でカシュナッツ入りソフトクリムやカシュナッツ入りアイスクリームとして商品化しても良い。同じく、くるみも同様に単独でくるみ入りソフトクリムや、くるみ入りアイスクリームとして商品化しても良い。カシュナッツもくるみも各々、適度に砕いて入れたものや、粉（末）状にして入れたもの等、どちらでも良い。
【００１２】
上記のように、くるみとカシュナッツを混入したアイスクリームを攪拌しつつ半凍結、あるいは凍結する。
フリーザーでアイスクリーム中に細かい氷晶を作らせながら空気を混入させ、オーバーランを出し、気泡や脂肪、氷の粒を均一に分散させてソフトクリーム状とすることもできる。
そして、このままソフトクリームとして消費してもよく、容器に充填し、−３０℃〜−４０℃で冷却し、硬化させたものを容器入りアイスクリームとすることもできる。
【００１３】
カシュナッツは口当たりが柔らかくおいしいし５ｍｍ〜１ｃｍ位にカットしたりもっと細かく砕いて入れても良いし、粉末状態でまぜても良い。
アイスクリームとは味も呼び名のひびきも相性が合い，特に商品化の時点でアイスクリームとの呼び名のひびきが良い。
【００１４】
くるみの実は見た目が花の様で可愛い形であり、食べると少しの苦味があり、
これがまたアイスクリームの甘さを引き締める。
アイスクリームに入れる時は適当にカットしても粉末にしても良い。
【００１５】
ナッツ類は、心臓病に効能があるといわれ、特にカシュナッツとくるみを単独ではなかなか食べる機会は少なくても、アイスクリームに入れることで、食べる機会が増え、健康に貢献出来る。
故に、ただのアイスクリームを食べるより、高齢化社会を目前に成人病予防になり今後は需要が増すと考える。
【００１６】
故に販売例としては、例えば、カシュナッツとくるみを両方、粉末にしてアイスクリームに混ぜてカップに入れたものをコンビニで売る事が出来る。
また、他の例としては，カシュナッツとくるみの固形をそのままに近い状態でアイスクリームの上にトッピングとしてカップに入れて販売したり、あるいは、アイスクリームのカップの一番下に置いたり等々，混合の方法も多種である。
【図１】
0003150063.tif 000003
【図２】
0003150063.tif 000004
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
アイスクリームに、５ｍｍ〜１ｃｍの大きさに砕いたカシュナッツとくるみを混入し、カップに収容したことを特徴とするカシュナッツとくるみ入りのカップ入りアイスクリーム。
【請求項２】
ソフトクリームに、５ｍｍ〜１ｃｍの大きさに砕いたカシュナッツとくるみを混入し、コーン菓子に収容したことを特徴とするカシュナッツとくるみ入りのコーン菓子入りソフトクリーム。
【手続補正２】
【補正対象書類名】明細書
【補正対象項目名】０００５
【補正方法】変更
【補正の内容】
【０００５】
本考案のアイスクリームは、５ｍｍ〜１ｃｍの大きさに砕いたカシュナッツとくるみを混入し、カップに収容したことを特徴とするカシュナッツとくるみ入りのカップ入りアイスクリームである。
本考案のソフトクリームは、５ｍｍ〜１ｃｍの大きさに砕いたカシュナッツとくるみを混入し、コーン菓子に収容したことを特徴とするカシュナッツとくるみ入りのコーン菓子入りソフトクリームである。
(57)【要約】      （修正有）【課題】自然の地下熱を利用して冷却することのできる空調機を提供する。【解決手段】地上に設置された送風機と前記送風機に一端が接続されており、且つ地下に埋め込まれた金属パイプを有しており、前記金属パイプの他端が地上に設けられた室内に接続されたことを特徴とする空調機である。【選択図】図３
0003150025.tif 000002
【実用新案登録請求の範囲】
【請求項１】
地下熱を吸収する金属パイプを地下にうずめて送風機で室内に送付する空調機
【考案の詳細な説明】
【考案の詳細な説明】
【産業上の利用分野】
【０００１】本考案は地下約１ｍ５０ｃｍの平均温度は１８℃の温度を利用して地下に金属板（熱伝導の高い材料）で出来た金属パイプを埋め地上より送風機で風を送り金属パイプ（図４のラジエター）を通し、４の送風管を通して室内に送風するもので製品が安価に出来て産業にも広い分野にて使用出来る
【背景技術】
【０００２】従来の技術は空気を機械的・化学的に冷却して室内外設備して空気を送っている
【考案が解決しようとする課題】
【０００３】本考案は電気の使用料金が高く化学薬品を使用しない、コスト面での問題点を解決しようとしている  又自然環境に悪い影響を及ぼさないよう工夫している
【０００４】考案は図１に示す通り８の草木を通したエアーを１の送風機で５のタンクにエアーを送り６のラジエターで地下熱を吸収して地下同様に温度保温して室内に送る構造
【実施例】
【０００５】以下、本考案の構成を図面に示す実施例に基づいて詳細に説明する。【０００６】図４詳細図の説明（６−１  パネル金属板  ６−２空洞用パッキン  ６−３ネジ付フランジ  ６−４ネジ付ジョイント用パイプ  ６−５パネル締付ネジ）に１の送風機で４のパイプを介して５のタンクに送付  ２調整電磁バルブで送風を調整  ６ラジエターで空気を冷却し  ４送風管を通して各室に冷却風で送風する【０００７】上述の実施例は本考案の好適な実施の一例ではあるが、これに限定されるものではなく本考案の要旨を逸脱しない範囲においては種々変形の実施も可能である。
【考案の効果】
【０００８】自然の地下熱を利用したエアーコンで冷却に電気或いはガスが不要で自然のクリーンな空気を吸って生活が出来、温暖化の防止にも効果がある
【図面の簡単な説明】
【０００９】
【図１】本考案  鉄骨建造物の地下熱利用システムの側面図
【図２】本考案  鉄骨建造物の地下熱利用システムの正面図
【図３】本考案  木造建造物の地下熱利用システムの側面図
【図４】本考案  ラジエター部の詳細図
【符号の説明】
【００１０】１→送風機
２→電磁バルプ
３→圧力計
４→送風管
５→タンク
６→ラジエター
７→建物
８→草木
６−１→パネル金属板
６−２→空洞パッキン
６−３→ネジ付フランジ
６−４→ネジ付パイプ
６−５→パネル締付ネジ
【図１】
0003150025.tif 000003
【図２】
0003150025.tif 000004
【図３】
0003150025.tif 000005
【図４】
0003150025.tif 000006
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
地上に設置された送風機と前記の送風機に一端がパイプで接続されており、且つ地下に埋め込まれた金属パイプを有しており  前記の金属パイプの他端が地上に設けられた室内に接続された空調機。
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
地上に設置された送風機と前記の送風機に一端が接続されており、且つ地下に埋め込まれた金属パイプを有しており  前記の金属パイプの他端が地上に設けられた室内に接続された空調機。
(57)【要約】      （修正有）【課題】短期間の展示において、簡単に展示品を保護することかできる展示台用簡易防護パネルを提供する。【解決手段】展示台又はテーブルの前に３０ｍｍ程度のブロック３を両面テープなどで固定する。それに展示台の壁面や天井から既成のワイヤー１を下げその下にステンレススチールの棒２を釣り下げる。そしてその棒の端を上記のブロックへ突当てて、つっ張り、斜めの構造を作る。その上にアクリル樹脂パネル４を、立てかけて置くだけで、ステンレススチール棒及びアクリル板の自重で安定する。【選択図】図１
0003150026.tif 000002
【実用新案登録請求の範囲】
【請求項１】
展示会の展示台上に陳列された出品物を防護するもの。既存の展示台の前面に、３０ｍｍ角程度のブロックを固定する。展示台の壁面又は天井から釣り下げられた既成の展示用ワイヤーを利用し、そのワイヤーからスチール棒を釣り下げ、その棒の端を前述したブロックに突き当て、つっ張り固定する。そのスチール棒を構造として、棒の上にアクリル樹脂パネルを立てかけて、出品物に直接手に触れない様に防護するものである。
【考案の詳細な説明】
【技術分野】
【０００１】本考案は展示出品物への接触を防ぐための仕切りパネル固定に関する。
【背景技術】
【０００２】従来の展示出品物の防護策はアクリル樹脂で箱を作り、それを被せていた。
【考案の開示】
【考案が解決しようとする課題】
【０００３】しかし、展示出品物の大きさによって寸法を変えなければならない、また急な展示法の変更に対応できないなどの不便さがあった。また回送展示の輸送の場合、傷や壊れやすさの対応など細心の注意が必要となっている。
【課題を解決するための手段】
【０００４】そこで、展示台の前面に３０ｍｍ程のブロックを複数固定する。そして展示台の壁面や天井から既成の展示用ワイヤーを下げる。それを利用してその下にスチール棒を釣り下げる、その棒の端を上記のブロックへ突当て、つっ張りそれを構造にして透明アクリル樹脂パネルをその棒に立てかけることで、出品物と観客との間に仕切りができる。
【考案の効果】
【０００５】よって、本考案の仕切りパネルにより、出品物に直接触れることを防止することが可能になる。また展示台上が自由に使えることで、会場での配置の調整が非常に楽に、行えることになる。更に回送展などの輸送にもパネル状なので、梱包も箱状に比べてより安全に、輸送の場所も少なくて済む。輸送費や製作費そのものの軽減にもつながる。又、個々の展示のために作られたアクリルボックスはその役目が終わると廃棄される事が多いが、この展示方法は、展示場の常設備品として使用可能である。
環境問題の一助となると考える。
【考案を実施するための最良の形態】
【０００６】本考案に係る簡易防護パネルは図１に示すように、既存の展示台又はテーブルの前前に３０ｍｍ程度のブロックを両面テープなどで固定する。それに展示台の壁面や天井から既成のわワイヤーを下げその下にステンレススチールの棒を釣り下げる。そしてその棒の端を上記のブロックへ突当てて、つっ張り、斜めの構造を作る。その上にアクリル樹脂パネルを、図２に示すように立てかけて置くだけで、ステンレススチール棒及びアクリル板の自重で安定する。
【図面の簡単な説明】
【０００７】
【図１】本考案に係る既成の展示用ワイヤーとスチール棒及びつっ張り受けのブロック図
【図２】上記、スチール棒と斜めに立てかけたアクリル樹脂パネルの正面図
【符号の説明】
【０００８】１  既成の展示用ワイヤー
２  スチール棒
３  つっ張り受け用ブロック
４  透明アクリル樹脂パネル
【図１】
0003150026.tif 000003
【図２】
0003150026.tif 000004
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
展示台の展示品を観客から直接触れられないように防護する方法において、
（１）展示台の上部から吊り下げられたワイヤーの先に取りつけられたスチール棒、
（２）上記スチール棒の先端を展示台の端（観客側）に接触させ、ずれないように固定す      るためのブロック、
（３）上記スチール棒を斜めに調整し、それに立て掛ける透明アクリル板、
以上からなる短期間の展示において、簡単に展示品を保護することかできることを特徴  とする展示台用簡易防護パネル。
【手続補正書】
【提出日】平成21年1月31日(2009.1.31)
【手続補正１】
【補正対象書類名】実用新案登録請求の範囲
【補正対象項目名】全文
【補正方法】変更
【補正の内容】
【実用新案登録請求の範囲】
【請求項１】
展示台の展示品を観客から直接触れられないように防護する方法において、
（１）展示台の上部から吊り下げられたワイヤーの先に取りつけられたスチール棒、
（２）上記スチール棒の先端を展示台の端に接触させ、ずれないように固定するためのブロック、
（３）上記スチール棒を斜めに調整し、それに立て掛ける透明アクリル板、
以上からなる短期間の展示において、簡単に展示品を保護することかできることを特徴とする展示台用簡易防護パネル。
(57)【要約】      （修正有）【課題】適度な段差とそれによる毛先の不揃い感や軽さをセルフカットにおいても実現できることを目的としたセルフカット用具を提供する。【解決手段】円柱状の本体に長さ形状の異なる２つのクシ歯を前後に設け、又アールの片面にマジックテープ（登録商標）を設ける。本体を回転させ使用し、髪の根本をおこして固定する事ができ、髪を持ち上げた状態でカットする事でおりた時の毛先の適度な段差とクシ歯の凹凸により毛先の不揃いなラインが作れる。【選択図】図１
0003150028.tif 000002
【実用新案登録請求の範囲】
【請求項１】
円柱状の本体の側面に異なる二つのくし歯を設け、くし歯とくし歯の間の面にマジックテープの面を設け、本体を回転させて使用することで髪の根元をおこした状態で固定させ、カット後、髪を下ろした状態で、毛先に適度な段差と不揃いなラインを作ることを目的としたセルフカット用具。
【考案の詳細な説明】
【技術分野】
【０００１】  本考案は、主に女性が自分で前髪部をカットする際、手軽に理想のラインや軽さや段差をつけられる様に考えたセルフカット用具に関するものである。
【背景技術】
【０００２】前髪を下ろしているヘアスタイルは、前髪のデザイン上や私生活での理想的な長さを保っていられる期間というのは短く、通常１ヶ月に１ｃｍ程度のびる事を考えればすぐに目にかかる長さになり邪魔になる。またはデザインのバランスを崩す等の不都合が生まれやすい。
【考案の開示】
【考案が解決しようとする課題】
【０００４】しかしながら、本来プロが行う様な毛束を持ち上げた状態でカットしたり、切り口を調節する事で段差をつけたり毛先の不揃いなラインを作る事は自分自身で行う事は非常に困難であり、結果求めている前髪のデザインに近づけられない現状がある。【０００５】本考案は以上に述べた従来の前髪をセルフカットする際に失敗しやすい問題を解決しようとするものであり紙のパネルに対し適度な段差とそれによる毛先の不揃い感や軽さをセルフカットにおいても実現できることを目的としたセルフカット用具である。
【課題を解決するための手段】
【０００７】そして、本考案は上記目的を達成するために円柱状の本体のカーブ面にマジックテープと２つの異なるクシ歯をとりつけることで髪を整えつつ固定し、髪の根本をおこす様にしている。又、円柱状の本体を回転させて使用する事でカーブの面により髪の根本をおこす効果を目的としている。
【考案の効果】
【０００８】上述した様に本考案は髪の根本をおこした状態で固定することでカット後髪が下におりた状態で毛先部分に段差をつけられる為、適度な軽さや毛先の不揃いなデザインが作れる。【０００９】又、状態を固定できる事で、その後のカットの作業がしやすくなる。
【考案を実施するための最良の形態】
【００１０】本体の片方の長いクシ歯を地肌から頭皮に沿わせる様根元まで挿入し、円柱状の本体を前方に回転させもう一方の短いクシ歯が生え際の髪の根元を押し上げた状態になるところまで反転させ固定する。
【実施例】
【００１１】以下、添付図面に従って実施例を説明する。図においては、２は比較的密歯のもので、長さもアールの面に対し除々に長さも短くなったクシ歯が数列配列させてある。３はクシ歯に構がついていて長さも１のものに比べ短めのものをつけている。【００１２】さらに、図４，５は実際の使用法で上述したようにくし歯１を生え際から頭皮に沿わせるよう挿入させくし歯２が生え際の位置にくるところまで前方に反転させ生え際の髪の根元をおしあげた状態にする。
【産業上の利用可能性】
【００１３】本来、髪をカットする際、美・理容室においてプロにやってもらう事が理想的ではあるが先程も述べた様に理想的な長さを保っていられる期間が短く、さらに部分的にカットする為に頻繁に美容室に行く事を考えると時間的な負担が生じてくるが、手軽にセルフカットできる事でそこから解消されると同時に伸びている前髪のわずらわしさを自身で解消できる。
【図面の簡単な説明】
【００１４】
【図１】本考案の前髪セルフカット用具の一実施例を示す側面図である。
【図２】本用具の正面図である。
【図３】くし歯２の正面図である。
0003150028.tif 000003
【符号の説明】
【００１５】１本用具本体
２くし歯１
３くし歯２
４マジックテープの面
【図１】
0003150028.tif 000004
【図２】
0003150028.tif 000005
【図３】
0003150028.tif 000006
【図４】
0003150028.tif 000007
【図５】
0003150028.tif 000008
【手続補正書】
【提出日】平成21年1月27日(2009.1.27)
【手続補正１】
【補正対象書類名】明細書
【補正対象項目名】００１４
【補正方法】変更
【補正の内容】
【００１４】
【図１】本考案の前髪セルフカット用具の一実施例を示す側面図である。
【図２】本用具の正面図である。
【図３】くし歯２の正面図である。
【図４】本考案の使用例を表した図である。
【図５】本考案の使用例を表した図である。
(57)【要約】      （修正有）【課題】ゴミ箱とティッシュペーパーを一体化することによって、その利便性を高めたティッシュボックスホルダーを提供する。【解決手段】ティッシュペーパーボックスとゴミ箱を一体化することによって、手軽に、簡単にどこでも移動でき、使用済みのペーパーの捨て場に困らなくなる。ティッシュボックスホルダー本体は２段になっていて、１はティッシュペーパーの取り出し口、２はティッシュペーパーボックスを収納する部分、３はゴミ箱の部分でひき出しになっている。【選択図】図２
0003150030.tif 000002
【実用新案登録請求の範囲】
【請求項１】
使用済みのティッシュペーパーを即座に捨てることが出来ることを特徴とするティッシュボックスホルダー
【請求項２】
ティッシュボックスホルダーはゴミ箱とティッシュペーパーを一体化出来ることを特徴とする。
【考案の詳細な説明】
【技術分野】
【０００１】  この発明は、ティッシュペーパー使用の利便性に関するものである。
【背景技術】
【０００２】  これまで、使用済みのティッシュペーパーを捨てるゴミ箱とティッシュペーパーが一体になったものがなく、ティッシュペーパーを使った後などでゴミ箱を探す手間が必要だったが、図２が示すように、ゴミ箱とティッシュペーパーを一体化することによって、その利便性を高めたものである。
【考案の開示】
【考案が解決しようとする課題】
【０００３】  しかしながら、以上の技術によれば、これまで、使用済みのティッシュペーパーを捨てるゴミ箱とティッシュペーパーが一体になったものがなく、ティッシュペーパーを使った後などでゴミ箱を探す手間が必要だった。
そこで、この発明は、図２が示すように、ゴミ箱とティッシュペーパーを一体化することによって、その利便性を計る「ティッシュボックスホルダー」を提供することを課題とする。
【課題を解決するための手段】
【０００４】  以上の課題を解決するために、第一発明は、ティッシュペーパーボックスとゴミ箱を一体化することを特徴とする「ティッシュボックスホルダー」である。
また、第二発明は、ゴミ箱にティッシュペーパーボックスをセット出来るスペースを持つことを特徴とする「ティッシュボックスホルダー」である。
【考案の効果】
【０００５】  第一発明、または第二発明によれば、ティッシュペーパーとゴミ箱を一体化することによって、使用済みティッシュペーパーをゴミ箱を探しに手間どることなく、すみやかに捨てることができる。
【考案を実施するための最良の形態】
【０００６】  この発明の一実施形態を、図１、図２、図３に示す。
図１はティッシュボックスホルダー本体は２段になっていて、１はティッシュペーパーの取り出し口、２はティッシュペーパーボックスを収納する部分、３はゴミ箱の部分でひき出しになっている。
図２はティッシュペーパーボックスをセットした状態で、１はボックスからティッシュペーパーを取り出す状態になっていて、２は使用済のペーパーをゴミ箱に捨てる状態を示し、３はゴミ箱部分をひき出した状態を示している。
【実施例】
【０００７】「実施形態の効果」
この実施形態によれば、ティッシュペーパーを使った後など、ゴミ箱を探したり使用済のペーパーを散乱させることなく、一体となっているゴミ箱にすみやかに処理することが出来る。【０００８】「他の実施形態」
図１の実施形態では、素材は幼児、お年寄り、病室向けにも安全を考慮して、厚紙を想定しているが他の実施形態では、素材の材質はプラスチックなど他の素材でも良い。
【図面の簡単な説明】
【０００９】
【図１】この考案の一実施形態を示す斜視図である。
【図２】この考案を使用中の斜視図である。
【図３】この考案の下段は引き出しになっていて、ゴミ箱部分が抜き差し出来る状態を示す図である。
【符号の説明】
【００１０】    １  ティッシュペーパー取り出し口    ２  ティッシュペーパーボックスの収納スペース    ３  ゴミ箱部分
【図１】
0003150030.tif 000003
【図２】
0003150030.tif 000004
【図３】
0003150030.tif 000005
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱とティッシュペーパーを一体化したことを特徴とし、上側には、ティッシュボックスをセット出来る収納スペースが形成され、下側には、ひきだし状のゴミ箱が形成されていることを特徴とするティッシュボックスホルダー
【請求項２】
請求項１記載のティッシュボックスホルダー
(57)【要約】      （修正有）【課題】馬券、舟券、車券等の購入資金を事前に把握し理解できることで、合理的な購入資金の運用が可能になる娯楽用万能記録手帳を提供する。【解決手段】合理的な資金の運用ができるようになる解決手段は、競馬競艇、競輪等の各公営競技の結果内容と収支内容を使用者自身が記入できることで、購入の事前に、使用者自身が一目で把握でき、理解できることとなり、馬券、舟券、車券等の購入資金の運用が合理的となり、使用者の利用価値が高く評価される。【選択図】図１
0003150024.tif 000002
【実用新案登録請求の範囲】
【請求項１】
競馬、競艇、競輪、等の公営競技の着順及び配当率又は配当額や収支内容を後日のための記録として記入ができる娯楽用万能記録手帳。
【請求項２】
競馬、競艇、競輪、等の公営競技の着順による入着の氏名又は馬名や収支の内容を後日の購入券の参照とする記入ができる娯楽用万能記録手帳。
【考案の詳細な説明】
【技術の分野】
【０００１】    既存の手帳を、より小さくコンパクト化し、記入を目的とする中身である記入の表示を一覧表として、一目で理解できるようにした娯楽用万能記録手帳。
【背景技術】
【０００２】    公営競技の結果内容を記入するためと、この記入内容を使用者自身が一目で理解できるよう一覧表とした娯楽用万能記録手帳。
【考案が解決しようとする課題】
【０００３】    馬券、舟券、車券等の購入資金を事前に把握することで、合理的な資金運用でもって馬券、舟券、車券等の購入ができることを課題とするものである。
【課題を解決するための手段】
【０００４】    合理的な資金運用による馬券、舟券、車券等の購入資金を課題とする目的の解決するための手段は、公営競技の結果内容と収支の内容を一目で理解できるように、一覧表でもって公営競技の結果及び収支の内容を記入できることで合理的な購入資金の運用が可能となる考案である。
【考案の効果】
【０００５】    馬券、舟券、車券等の購入資金の運用が合理的にでき、無理な購入資金の調達をしなくなるようになり、無駄な借入金をしなくなるようにもなる。
【考案を実施するための最良の形態】
【０００６】    本考案は、既存の手帳を、より小さな形状でコンパクト化したもので、記入を目的とした中身紙の（３）表示内容が競馬、競艇、競輪等の各公営競技用として共通使用できるように製本仕上げにした娯楽用万能記録手帳。
図面でもって以下に説明をします。
表紙となる表部（１）と裏部（２）が手帳形状の上下になるように、記入を目的とした一覧表となる中身紙（３）を挟み込むように縦断折りし、この折り面部分をミシン綴じ（ａ）、又は、ホッチキス針（ｂ）で綴じて、手帳形状に製本仕上げにした娯楽用万能記録手帳。
【産業上の利用可能性】
【０００７】    本考案は、個人個人が使用するもので、使用者個人の利用方法として、合理的な馬券、舟券、車券等の購入ができた人は利用価値としては高く評価され、結果とし産業上の利用の可能性は高くなる。
【図面の簡単な説明】
【０００８】
【図１】    立体図
【図２】    立面図
【符号の説明】
【０００９】（１）  表紙の表部
（２）  表紙の裏部
（３）  中身紙
（ａ）  ミシン綴じ
（ｂ）  ホッチキス針
【図１】
0003150024.tif 000003
【図２】
0003150024.tif 000004
【手続補正書】
【提出日】平成20年10月23日(2008.10.23)
【手続補正１】
【補正対象書類名】実用新案登録請求の範囲
【補正対象項目名】全文
【補正方法】変更
【補正の内容】
【実用新案登録請求の範囲】
【請求項１】
競馬等公営競技の着順や配当額の結果及び金銭収支の金額を記載するための欄及び枠を着順と配当額と金銭収支の金額を区分できるように、それぞれを項目別に設け、これらを一覧表にして重ね合わせ、手帳にするための表紙となる用紙と共に重ね合わせ、手帳仕上げになるように綴じる娯楽用万能記録手帳。
【請求項２】
競馬等公営競技の着順や配当額の結果及び金銭収支の金額を記載するための一覧表の用紙以外に、金銭出納として金銭の収支の内容と金額を区分する欄及び枠を設け、これらを一覧表にし、請求項１の記載の一覧表と共に重ね合わせ、手帳仕上げになるように綴じる娯楽用万能手帳。
【手続補正２】
【補正対象書類名】明細書
【補正対象項目名】０００６
【補正方法】変更
【補正の内容】
【０００６】本考案は、競馬等公営競技の競技の内容結果及び金銭収支の内容を記載するための手帳仕上げになるように綴じる娯楽用万能記録手帳である。
図面でもって、以下、説明します。
公営競技の結果とする着順や配当額及び金銭収支の金額を記載するための欄（イ）や枠（ロ）を設けた一覧表にした中身紙（３）と金銭出納として金銭の収支の内容と金額を記載するための欄（イ）や枠（ロ）を設けた一覧表にした中身紙（３）を重ね合わせ、これらの中身紙（３）に表紙を重ね、表紙（４）の表部（１）と裏部（２）が手帳形状の上下になるように記載を目的とし一覧表にした中身紙（３）を挟み込むように、真ん中を中心とし縦断状に折りまげ、この折りまげ部にミシン綴じ目（ａ）又はホッチキス針（ｂ）で綴じる手帳仕上げにする娯楽用万能記録手帳である。
【手続補正３】
【補正対象書類名】明細書
【補正対象項目名】０００８
【補正方法】変更
【補正の内容】
【０００８】
【図１】  立体図
【図２】  立面図
【図３】  立面図
【手続補正４】
【補正対象書類名】明細書
【補正対象項目名】０００９
【補正方法】変更
【補正の内容】
【０００９】  （１）  表紙の表部
（２）  表紙の裏部
（３）  中身紙
（４）  表紙
（イ）  記載をするための欄
（ロ）  記載をするための枠
（ａ）  ミシン綴じ目
（ｂ）  ホッチキス針
【手続補正５】
【補正対象書類名】図面
【補正対象項目名】全図
【補正方法】変更
【補正の内容】
【図１】
0003150024.tif 000005
【図２】
0003150024.tif 000006
【図３】
0003150024.tif 000007
(57)【要約】      （修正有）【課題】動輪軸受けに玉軸受けユニットを板バネに直接取り付け懸架する事によりシンプルで信頼性の高い安価な軸受け構造を持った蒸気機関車模型を提供する。【解決手段】動輪車軸３は玉軸受けユニット１の半径方向を、また、軸方向は内輪と止めネジ８にて保持され板バネ２に直接取り付けられる。板バネ２はバネ撓みに対して充分な弾性変形となるような離れた位置で台枠側面板４にボルト９にて固定される。また、板バネ２は必要なバネ剛性をうるため必要枚数用いると共に、カーブ走行時等、平面内モーメントに対して充分な支持を与えるため、台枠側面板４でバネの外側面を規制するように構成する。【選択図】図１
0003150033.tif 000002
【実用新案登録請求の範囲】
【請求項１】
図１に示すように玉軸受けユニット（１）を板バネ（２）に直接取り付け、この板バネ（２）を介して充分弾性をうる位置にて台枠側面板（４）にボルト（９）で固定する。これらにより構成される蒸気機関車模型の動輪懸架装置。
【考案の詳細な説明】
【技術分野】
【技術分野】
【０００１】運転者が乗車したり、乗客をのせた客車を引いて楽しむ蒸気機関車の模型として、石炭やガスを焚き、ボイラー内の水を沸騰させ、これによって得られる蒸気により、蒸気エンジンを駆動する本物の蒸気機関車と同じ原理、構造を模した蒸気機関車模型に関する。
【背景技術】
【０００２】従来より、蒸気機関車模型の動輪軸受けは図３に示すよう軸箱（５）が台枠側面板（４）を挟み込むような形で上下動可能にバネ（７）とバネガイド（６）で懸架されるような構造をとるのが一般的である。また、模型としてのスペース的な制約から軸箱（５）の軸穴（１０）に転がり軸受けを設置するのが困難であることから、直接滑り軸受けとすることが一般的である。
【考案の開示】
【考案が解決しようとする課題】
【０００３】これは次のような欠点があった。軸箱（５）の軸受け穴（１０）や台枠側面板（４）との挟み込み部（１１）は滑り案内であり工作上のスキマ管理や潤滑に難点があり、回転振動や粉塵等による磨耗劣化を起こしやすい。またそれらの点検や分解保守作業は動輪背面の奥まった位置にあることから実物に似た困難性がある。
【課題を解決する為の手段】
【０００４】本考案を実際に使用する場合は、図１に示すように玉軸受けユニット（１）を板バネ（２）に直接取り付け、この板バネ（２）を介して充分弾性をうる位置にて台枠側面板（４）にボルト（９）で固定する。これにより前後動や左右動は平板の座屈剛性やせん断剛性により制限され、必要とする上下動や車軸の傾きによるネジリみの自由度をもたせることが出来、摺動部のない懸架装置が構成できる。
【考案の効果】
【０００５】当発明は車軸受けに転がり玉軸受けユニット（１）を保守不要の軸受けとして搭載でき、更に摺動部も持たないことから、振動衝撃もなく永久的な信頼性の高い懸架装置として安価に提供できる。
【考案を実施するための最良の形態】
【０００６】以下、本考案の実施の形態を説明する。
（イ）図１には動輪２軸配置の場合の懸架装置を、図２には動輪３軸配置の場合をしめす。動輪車軸（３）は玉軸受けユニット（１）の半径方向を、また、軸方向は内輪と止めネジ（８）にて保持され板バネ（２）に直接取り付けられる。板バネ（２）はバネ撓みに対して充分な弾性変形となるような離れた位置で台枠側面板（４）にボルト（９）にて固定される。
（ロ）また、板バネ（２）は必要なバネ剛性をうるため必要枚数用いると共に、カーブ走行時等、平面内モーメントに対して充分な支持を与えるため、台枠側面板（４）でバネの外側面を規制する。
（ハ）図１、図２は各々の動輪玉軸受けユニット（１）の機関車重量による沈み込んだ状態をしめしているが、線路の凹みに合わせ動輪の自由位置（１０）からの沈み込み分だけ追従することで、従来コイルバネと同様な脱線に対する安定度も高い。
（ニ）また、本考案は客車、貨車等の一般車輌にも効果的に用いる事はできる。
本考案は以上の構成よりなる蒸気機関車模型の動輪板バネ懸架装置である。
【図面の簡単な説明】
【０００７】
【図１】本考案の２軸動輪板バネ懸架装置図
【図２】本考案の３軸動輪板バネ懸架装置図
【図３】従来の動輪懸架装置
【符号の説明】
【０００８】  １  玉軸受けユニット
２  板バネ
３  車軸
４  台枠側面板
５  軸箱
６  バネガイド
７  コイルバネ
８  止めネジ
９  ボルト
１０  動輪の自由位置
１１  挟み込み部
【図１】
0003150033.tif 000003
【図２】
0003150033.tif 000004
【図３】
0003150033.tif 000005
【手続補正書】
【提出日】平成21年1月27日(2009.1.27)
【手続補正１】
【補正対象書類名】実用新案登録請求の範囲
【補正対象項目名】全文
【補正方法】変更
【補正の内容】
【実用新案登録請求の範囲】
【請求項１】
玉軸受けユニット（１）を板バネ（２）に直接取り付け、この板バネ（２）を介して充分弾性をうる位置にて台枠側面板（４）にボルト（９）で固定することによって構成される蒸気機関車模型の動輪懸架装置。
(57)【要約】      （修正有）【課題】温水ボイラーで発生する排ガス熱は通常煙突を通り外部へ放出されるが、回収可能な補助熱交換器装置により、排ガス熱を吸収し高温の温水となる。この温水をボイラーで再加熱することにより効率な運転が可能と成るボイラーの補助熱交換器を提供する。【解決手段】温水ボイラー７の煙突８内に排ガス熱を吸収する等間隔の（１０ｍｍ）の螺旋状の水管１を設置し、これにより約３００℃の排ガスが約５０〜６０℃の温水に熱交換される。この温水を温水ボイラ連結パイプ５を介してボイラー内に送り、再度加温する。これにより煙突内の排気熱で加温された温度上昇分の燃費が削減できて、燃料効率の向上につながる。【選択図】図１
0003150034.tif 000002
【実用新案登録請求の範囲】
【請求項１】
農業用のビニールハウスの温水ボイラーにおいて、煙突を通って排気ガスがハウス外部に放出されているが、その排気ガス熱（約３００℃）を煙突内に設置した等間隔の螺旋状の水管に接触させることによってビニールハウスからの冷めた還流温水の温度を上昇させることが出来る。温度上昇させた還流温水はボイラーに送り再度加熱して、ビニールハウス内に燃料効率良い高温の温水を送り出せる補助熱交換器。
【請求項２】
ビニールハウスからの冷めた還流温水を煙突内に設置した螺旋水管に接合した場合、それぞれの水管の口径が異なるので水流状態が不安定になるので、口径の大きい水管ソケットを設置して、遊水空間を設けた補助熱交換器。
【請求項３】
煙突内の螺旋水管間隔は、排気ガス熱との効率伝導を考慮して１０ｍｍとし、又煙突外壁との間隔も１０ｍｍとする補助熱交換器。
【考案の詳細な説明】
【技術分野】
【０００１】本新案は、農業用ビニールハウス内を温水ボイラーで加温する際に、多量の化石燃料が消費される。その際発生する排気ガスはボイラーの煙突を通して外気に放出されている。この排気ガスは約３００℃のガス熱を有している。このガス熱を煙突内で回収して利用した燃料効率を向上させるための補助熱交換器に関するものである。
【背景技術】
【０００２】ボイラーの煙突を通して外気に放出さる排気ガスは約３００℃のガス熱を有している。煙突内に取り付けた螺旋状の水管に２０〜３０℃の温水を循環させた場合、５０〜６０℃の温水となり、さらにボイラーで再加熱されて高温の温水に変わる。要するに温水を約３０℃上昇分は経費０円となる。
【考案の開示】
【考案が解決しようとする課題】
【０００３】通常の温水ボイラーでは排気ガス熱について考慮していなく、煙突より外部へ放出している。【０００４】１本の口径の大きい水管と口径の細い水管を連結して、安定的な水流を得ること。【０００５】煙突内での効率的熱伝導が得られる配置についての問題点。
【課題を解決するための手段】
【０００６】農業用ビニールハウス内を還流してきた温水は（４）のパイプより（１１）の遊水用ソケット内で水流圧が調整されて（２）から煙突内の螺旋状水管に入いる。煙突内では排気ガスの高温熱により加温されてながら還流して（３）より（５）のパイプ通し、温水ボイラーでさらに高温の温水となる。高温となった温水は（６）のパイプより農業用ビニールハウス内に還流させてハウス内の室温を上昇させる。
【考案の効果】
【０００７】本考案により温水ボイラーの排気ガス熱を有効利用することにより、燃料を削減できる。
【最良の形態】
【０００８】煙突を通過する温水ボイラーの排気熱を煙突内に敷設された螺旋状の水管に吸収させる。
【考案を実施するための最良の形態】
【０００９】煙突内の排気ガス熱を吸収する為に４本対の螺旋状水管の設置する。【００１０】農業用ビニールハウス内を還流してきた温水のパイプ径と螺旋状の水管の径が異なっているので、水流調整のためにそれぞれより大きい径のパイプ状のソケットにより水流を調整する。【００１１】煙突内で排気ガス熱を効率良く吸収する為、４本の螺旋状水管の間隔をそれぞれ１０ｍｍとする又水管と煙突外部側面との間隔も１０ｍｍとする。
【図面の簡単な説明】
【００１２】
【図１】本考案の断面図
【図２】本考案の上面図
【図３】本考案の煙突内の水管の取付図
【符号の説明】
【００１３】１  煙突内の螺旋状水管（４本組合せ）
２  煙突内入口
３  煙突内出口
４  農業用ビニールハウス内を還流してきた温水のパイプ
５  煙突内の螺旋状水管と温水ボイラー連結パイプ
６  農業用ビニールハウス内へ還流する高温温水の移送パイプ
７  温水ボイラー
８  温水ボイラーの煙突
９  煙突の縦柱兼水管の固定場所
１０煙突の傘
１１連結ソケット
【図１】
0003150034.tif 000003
【図２】
0003150034.tif 000004
【図３】
0003150034.tif 000005
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
農業用のビニールハウスの温水ボイラーにおいて、煙突を通って排気ガスがハウス外部に放出されているが、その排気ガスを煙突内に設置した等間隔の螺旋状の水管に接触させることによって、ビニールハウス内を循環してきた温度の下がった循環水の温度を上昇させることが出来き、温度が上昇した循環水は温水ボイラーに送られ、再度加熱して、ビニールハウス内へ高温の循環水として送り出すことの出来る補助熱交換器。
【請求項２】
ビニールハウス内を循環してきた温度の下がった循環水を煙突内に設置した螺旋水管と連結する場合、それぞれの水管の口径が異なるので水流状態が不安定になるので、口径の大きい水管ソケットを設置して、遊水空間を設けることを特徴とする請求項１記載の補助熱交換器。
【請求項３】
煙突内の螺旋水管の上下間隔は、排気ガス熱との効率伝導を考慮して１０ｍｍとし、又煙突外壁との間隔も１０ｍｍとすることを特徴とする請求項１記載の補助熱交換器。
(57)【要約】      （修正有）【課題】発泡スチロールやダンボールや木枠やビニールなどの梱包材を使用せずに搬送できる精密機械部品搬送用樹脂製多段積密閉式コンテナーを提供する。【解決手段】容器本体部１２と容器蓋部１１とをスライド式レールロック３で密封する精密機械部品搬送用樹脂製多段積密閉式コンテナーであって、４辺のスライド式レールロック用レール付縁部１に、スライド式レールロック３を装着したことを特徴とする。【選択図】図１
0003150040.tif 000002
【実用新案登録請求の範囲】
【請求項１】
［イ］スライド式レールロック用レール付縁部（１）の４箇所にスライド式レールロック（３）を装着した精密機械部品搬送用樹脂製多段積密閉式コンテナー。
以上のごとく構成された精密機械部品搬送用樹脂製多段積密閉式コンテナー。
【考案の詳細な説明】
【技術分野】
【０００１】本考案は、容器本体部（１２）と容器蓋部（１１）をスライド式レールロック（３）で密閉する精密機械部品搬送用樹脂製多段積密閉式コンテナーに関するものである。
【背景技術】
【０００２】従来、内容物を発泡スチロールやダンボールや木枠やビニールなどの梱包材で保護して搬送するコンテナーがあった。
【考案の開示】
【考案が解決しようとする課題】
【０００３】（イ）内容物を埃や湿気、外圧からの破損などから防ぐ為に従来は発泡スチロールやダンボール、ビニール、木枠などのワンウェイ梱包材で保護して搬送する為、内容物の搬送後は大量のごみが発生し環境負荷が大きく、梱包用資材の経費も大きかった。
本考案は、これらの欠点を除くためになされたものである。
【課題を解決するための手段】
【０００４】（イ）容器本体部（１２）の縁部全周に弾性樹脂パッキン付半球形状はめ殺し雄部（５）を付ける。容器蓋部（１１）の全周に半球形状はめ殺し雌部（６）を付ける。容器本体部（１２）と容器蓋部（１１）を閉じた状態（斜視図Ａ）の時に、弾性樹脂パッキン付半球形状はめ殺し雄部（５）と半球形状はめ殺し雌部（６）が完全に合致（密閉用スライドロック形状断面図Ｃ）するようにする。
（ロ）容器本体部（１２）と容器蓋部（１１）を閉じた状態にしてスライド式レールロック（３）を４辺のスライド式レールロック用レール付縁部（１）に差し込み完全なロック状態（密閉用スライドロック形状断面図Ｃ）にして、容器内部を完全な密封状態にする。
（ハ）縁部及び全ての面をリブ構造にして剛性を上げる。
（ニ）容器本体下部のフォークリフト爪挿入形脚部（４）と容器蓋上部の落下防止用凸天端部（２）が合致し多段積が可能な構造として、多段済みにしてもそれぞれの容器本体下部のフォークリフト爪挿入形脚部（４）の部分にフォークリフト爪を挿入できるようなすき間のある構造にする。
（ホ）容器内部に梱包材を使用せずに搬送できる樹脂成形トレーを設置する。
【考案の効果】
【０００５】（イ）本考案の精密機械部品搬送用樹脂製多段積密閉式コンテナーを使用する事によってワンウェー梱包材を使用せずに内容物を搬送することが可能になる。
（ロ）繰り返し使用できるリターナブル容器として使用できる。
（ハ）埃、湿気、外部圧力による内容物の破損を防ぐことが出来る。
【考案を実施するための最良の形態】
【０００６】以下、本考案の実施例について説明する。
（イ）精密機械部品搬送用樹脂製多段積密閉式コンテナー（斜視図Ａ）にスライド式レールロック（３）を装着する。
（ロ）容器縁部にはめ殺し式パッキン（５）、（６）を設置する。
（ハ）容器縁部、及び全ての面にリブ構造を施す。
（ニ）容器下部にフォークリフト爪挿入形脚部（４）を設ける。
（ホ）容器上部に落下防止用凸天端部（２）を設ける。
【図面の簡単な説明】
【０００７】
【図１】本考案の図面、である。
【符号の説明】
【０００８】１  スライド式レールロック用レール付縁部
２  落下防止用凸天端部
３  スライド式レールロック
４  フォークリフト爪挿入形脚部
５  弾性樹脂パッキン付半球形状はめ殺し雄部
６  半球形状はめ殺し雌部
７  パーティングライン
８  ヒンジ
９  スライドロック形状縁部拡大図−イ
１０スライドロック形状縁部拡大図−ロ
１１容器蓋部
１２容器本体部
【図１】
0003150040.tif 000003
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
容器本体部（１２）と容器蓋部（１１）とをスライド式レールロック（３）で密封する精密機械部品搬送用樹脂製多段積密閉式コンテナーであって、４辺のスライド式レールロック用レール付縁部（１）に、スライド式レールロック（３）を装着したことを特徴とする、精密機械部品搬送用樹脂製多段積密閉式コンテナー。
(57)【要約】【課題】ペットボトル等のキヤップを開ける際、力のない老人や子供のために、、容易にペットボトルのキヤップを開ける事を目的とする【解決手段】    力のない老人や子供のために、ペットボトルのキヤップの部分にペットボトルのキヤップ開け器具を挟み締めつけながら、ペットボトルのキヤップを回し開けるその場合手の中にはいる大きさにする【選択図】図１
0003150036.tif 000002
【実用新案登録請求の範囲】
【請求項１】
最近ペットボトル等のキヤップが硬くしまっているため、力のない老人や子供のために、ペットボトル等のキヤップを開ける際、手の中に入る位の大きさのペットボトルのキヤップ開け器具を使い、容易にペットボトルのキヤップを開ける事を目的とする。
【考案の詳細な説明】
【技術分野】
【０００１】ペットボトルのキヤップ開け器具は、ボトルのキャツプの上部を挟み開口者の手により強く回しキャツプを開口する
【背景技術】
【０００２】ペットボトルのキヤップ開け器具は、簡易的であり手のなかに収まるくらいの大きさで、自動販売機にクサリ等で設置し簡単に使用出来る
【考案の開示】
【考案が解決しようとする課題】
【０００３】ペットボトルのキヤップは、力のない老人子供等に簡易に開閉する事を目的とする
【課題を解決するための手段】
【０００４】ペットボトルのキヤップや瓶のキヤップなど硬くて開封できない為の解決方法としてペットボトルのキヤップ開け器具を使用して、誰にでも開封し使用できる
【考案の効果】
【０００５】ペットボトルのキヤップ開け器具は、簡単であり、力の無い老人や子供など、誰にでも使用できる
【図面の簡単な説明】
【０００６】
【図１】ペットボトルのキヤップ開け器具をペットボトルのケャツプにセットし、片手で強く圧迫しながらキヤップ開ける図
【図２】ペットボトルのキヤップ開け器具の説明の図
【符号の説明】
【０００７】  １  ペットボトルのキヤップ開け器具の上部の図
２，ペットボトルのキヤップ開け器具の開口した図
３，ペットボトルのキヤップ開け器具を、ペットボトルのキヤップ開け器具の開口部の前面図
４、ペットボトルのキヤップ開け器具ペットボトルのキヤップ開け器具の後部、ジョイントの下部の図
５，ペットボトルのキヤップ開け器具のジョイントの部
６，ペットボトルのキヤップ開け器具の側面図
７，ペットボトルのキヤップ開け器具のペットボトルのキヤップにあたる部
８、ペットボトルのキヤップにあたる部深さはキヤップの長さ、横面はゴム状の物になっている
９、ペットボトルのキヤップ開け器具の後部図
１０、ペットボトルのキヤップ開け器具の下部の開口図
１１，ペットボトル等
【図１】
0003150036.tif 000003
【図２】
0003150036.tif 000004
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのキャツプのキヤップを開けやすくする器具で本体は円形状で制作し、ペットボトルのキャツプの上部よりかぶせ、ペットボトルのキャツプの大小に対応出来る様ジョイントで開閉出来る形状にしてキヤップに装着し、内側に滑らない様にゴム状を装着、内側の深さはペットボトルのキャツプの長さにし使用時は上部に装着して強く圧迫しながらキヤップを開口する方向に回転しながら容易に開口することを特徴とするペットボトルのキャツプ開け器具。
【手続補正２】
【補正対象書類名】明細書
【補正対象項目名】全文
【補正方法】変更
【補正の内容】
【考案の詳細な説明】
【技術分野】
【０００１】  本考案はペットボトルのキャツプを簡単に開口する器具である
【背景技術】
【０００２】  近年ペットボトルのキヤップは容易に開口しないよう硬く開封してあり、力のない老人や子供には困難である
【考案の開示】
【考案が解決しようとする課題】
【０００３】  ペットボトルのキヤップは、力のない老人子供等に簡易に開閉する事を目的とし又、自動販売機等にクサリで設置し簡単に使用出来る
【課題を解決するための手段】
【０００４】  本考案はペットボトルのキヤップや瓶のキヤップなど硬くて開口できない為の解決方法としてペットボトルのキヤップ開け器具を使用し、容易に開口する事を目的とするペットボトルのキャツプの上部よりおおいかぶせ手の中に入るくらいの大きさでジョイントによりペットボトルのキャツプの大小に対応出来る様制作した、力のない老人や子供のために容易に開封し使用出来る様制作、又手の中に入る位の大きさでペットボトルのキヤップ開け器具を使い、容易にペットボトルのキヤップを開ける様解決している。
【考案の効果】
【０００５】  ペットボトルのキヤップ開け器具は、簡単であり、力の無い老人や子供など、誰にでも使用できる
【図面の簡単な説明】
【０００６】
【図１】  ペットボトルのキヤップ開け器具をペットボトルのケャツプにセットし、片手で強く圧迫しながらキヤップ開ける
【図２】  ペットボトルのキヤップ開け器具の説明
【符号の説明】
【０００７】  １  ペットボトルのキヤップ開け器具の上部
２，ペットボトルのキヤップ開け器具の開口部
３，ペットボトルのキヤップ開け器具、ペットボトルのキヤップに当たる部位
４、ペットボトルのキヤップ開け器具ペットボトルのキヤップ開け器具の開口部
５，ペットボトルのキヤップ開け器具のジョイントの部位
６，ペットボトルのキヤップ開け器具のペットボトルのキャツプに当たる部で開口部
７，ペットボトルのキヤップ開け器具のジョイント
８、ペットボトルのキヤップにあたる部深さはキヤップの長さ、横面はゴム状の物
９，ペットボトル
【手続補正３】
【補正対象書類名】図面
【補正対象項目名】全図
【補正方法】変更
【補正の内容】
【図１】
0003150036.tif 000005
【図２】
0003150036.tif 000006